【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
Ｋ個の一組の受信機と、
Ｎ個の一組の送信アンテナを有する少なくとも１つの送信機であり、前記少なくとも１つの送信機が、前記Ｋ個の一組の受信機と前記Ｎ個の一組の送信アンテナとの間における双方向チャンネルトレーニングに基づいて導出された事前符号化を用いたマルチユーザＭＩＭＯに基づいて前記Ｋ個の一組の受信機内に存在するそれぞれの受信機へダウンリンク送信する信号を事前符号化することができる、前記少なくとも１つの送信機と、
を備え、
前記双方向チャンネルトレーニングは、
アップリンクパイロット信号をそれぞれの前記Ｋ個の受信機から受信し、
１個〜Ｋ個のシンボルを用いたダウンリンクパイロット信号を、前記Ｋ個の受信機に送信する、
無線通信システム。
【請求項２】
前記事前符号化が、相反性から導出された前記送信機におけるチャンネル状態情報（ＣＳＩＴ）によって導出された１つまたはそれ以上のＭＵ−ＭＩＭＯ事前符号器を用いて実行される請求項１に記載の無線通信システム。
【請求項３】
前記ＣＳＩＴが、前記Ｋ個の一組の受信機によって送信されたパイロットに基づいて前記送信機においてなされた測定によって取得される請求項２に記載の無線通信システム。
【請求項４】
前記双方向トレーニングを調整する双方向トレーニングモジュールをさらに備える請求項１に記載の無線通信システム。
【請求項５】
前記Ｋ個の一組の受信機および前記Ｎ個の一組の送信アンテナが、４ステージＴＤＤベーストレーニングおよび伝送プロトコルを使用する請求項１に記載の無線通信システム。
【請求項６】
前記４ステージＴＤＤベーストレーニングおよびデータ伝送プロトコルが、
受信されたＫ個のパイロットシンボルに基づいて前記送信機がチャンネルを直接に推定するステップであり、それぞれのパイロットシンボルが、前記Ｋ個の一組の受信機の中の１つによって送信される、前記推定するステップと、
前記チャンネル推定を用いて前記ＭＵ−ＭＩＭＯ事前符号器を導出するステップと、
前記Ｋ個の受信機がそれらの受信機のそれぞれの有効チャンネルを推定するのを可能にするために、前記ＭＵ−ＭＩＭＯ事前符号器を用いて前記送信機が１個〜Ｋ個のパイロットシンボルを前記Ｋ個の一組の受信機へ送信するステップと、
前記ＭＵ−ＭＩＭＯ事前符号器を用いて前記送信機がユニキャストダウンリンク送信を実行するステップと、
を備える請求項５に記載の無線通信システム。
【請求項７】
前記１個〜Ｋ個のパイロットシンボルが、前記ダウンリンク送信のデータサンプル間に拡散される請求項６に記載の無線通信システム。
【請求項８】
前記少なくとも１つの送信機が、複数の事前符号器を備え、前記複数の事前符号器のそれぞれが、１つのチャンネル専用である請求項１に記載の無線通信システム。
【請求項９】
前記少なくとも１つの送信機が、前記少なくとも１つの送信機によって生成されたチャンネル推定を用いて、複合事前符号化信号を生成し、前記複合事前符号化信号が、前記Ｋ個の一組の受信機内に存在するそれぞれの受信機がその受信機自身の信号しか復号化しないようなものである請求項１に記載の無線通信システム。
【請求項１０】
前記少なくとも１つの送信機が、チャンネルを直接に推定するためのユニットと時空間符号化システムとを備え、前記時空間符号化システムが、
情報保持信号を受け取るための入力と、
前記情報保持信号を符号化してビットストリームを生成するために前記入力に結合された２進外部符号符号器と、
前記ビットストリームを受け取るように結合されたビットインターリーバと、
前記ビットインターリーバに結合されたマッピング装置およびモデムであり、前記ビットインターリーバ、前記マッピング装置、および前記モデムが、ビットインターリーブ符号化変調を実行するために協力して動作する、前記マッピング装置およびモデムと、
前記送信機の前記ユニットによって直接に推定されたチャンネル推定を示すチャンネル状態情報に基づいて、送信するための信号を成形するための一組の事前符号器と、
送信するための複数のストリームを生成するために前記一組の事前符号器に結合されたＯＦＤＭベース内部直交時空間ブロック符号器と、
を備える請求項１に記載の無線通信システム。
【請求項１１】
前記モデムと前記一組の事前符号器とが、前記ビットインターリーバの出力をシリアル形式からパラレル形式に変換することのできるシリアル−パラレル変換器を介して結合された請求項１０に記載の無線通信システム。
【請求項１２】
前記ユニットが、前記一組の事前符号器を導出する請求項１０に記載の無線通信システム。
【請求項１３】
前記前記Ｋ個の一組の受信機の中の少なくとも１つが、
ＯＦＤＭベース内部直交時空間ブロック符号による復号化を実行してシンボルを生成する内部復号器を有する線形フロントエンドと、
外部復号器と、
を備え、
前記外部復号器が、
前記線形フロントエンドからのビットに対してシンボルごとにシンボルデマッピングを実行するための内部シンボルデマッピング装置と、
前記内部シンボルデマッピング装置から受け取られた前記デマッピングされたシンボルに対してデインターリーブを実行するためのビットデインターリーバと、
外部ＭＡＰ復号器と、
を有する請求項１に記載の無線通信システム。
【請求項１４】
前記少なくとも１つの送信機が、基地局内に構成されている請求項１に記載の無線通信システム。
【請求項１５】
無線通信システムにおいてＮ個の一組の送信アンテナを有する少なくとも１つの送信機とＫ個の一組の受信機との間において、前記少なくとも１つの送信器においてアップリンクパイロット信号をそれぞれの前記Ｋ個の受信機から受信し、
１個〜Ｋ個のシンボルを用いたダウンリンクパイロット信号を前記Ｋ個の受信機のそれぞれに送信する双方向チャンネルトレーニングを実行するステップと、
マルチユーザＭＩＭＯに基づいて前記Ｋ個の一組の受信機内に存在するそれぞれの受信機へダウンリンク送信する信号を事前符号化するステップであり、前記事前符号化が、前記Ｋ個の一組の受信機と前記Ｎ個の一組の送信アンテナとの間における前記双方向チャンネルトレーニングに基づいて導出される、前記事前符号化するステップと、
を備える方法。
【請求項１６】
前記双方向チャンネルトレーニングを実行するステップが、前記少なくとも１つの送信機において前記Ｋ個の受信機のそれぞれから前記アップリンクパイロット信号を受信することを少なくとも含むアップリンクトレーニングを実行するステップと、前記少なくとも１つの送信機から前記Ｋ個の一組の受信機のそれぞれへ送信される前記１個〜Ｋ個のシンボルを用いてダウンリンクパイロット信号を送信することを少なくとも含むダウンリンクトレーニングを実行するステップとを備える請求項１５に記載の方法。
【請求項１７】
前記事前符号化するステップが、相反性から導出された前記送信機におけるチャンネル状態情報（ＣＳＩＴ）によって導出された１つまたはそれ以上のＭＵ−ＭＩＭＯ事前符号器を用いて実行される請求項１５に記載の方法。
【請求項１８】
前記Ｋ個の一組の受信機と前記少なくとも１つの送信機との間において４ステージＴＤＤベーストレーニングおよび伝送プロトコルを実行するステップをさらに備え、前記４ステージＴＤＤベーストレーニングおよび伝送プロトコルが、少なくとも、
受信されたＫ個のパイロットシンボルに基づいて前記送信機がチャンネルを直接に推定するステップであり、それぞれの前記Ｋ個のパイロットシンボルが、前記Ｋ個の一組の受信機の中の１つによって送信される、前記推定するステップと、
前記チャンネル推定を用いてＭＵ−ＭＩＭＯ事前符号器を導出するステップと、
前記Ｋ個の受信機がそれらの受信機のそれぞれの有効チャンネルを推定するのを可能にするために、前記ＭＵ−ＭＩＭＯ事前符号器を用いて前記送信機が１〜Ｋパイロットシンボルを前記Ｋ個の一組の受信機へ送信するステップと、
前記ＭＵ−ＭＩＭＯ事前符号器を用いて前記送信機がユニキャストダウンリンク送信を実行するステップと、
を備える請求項１５に記載の方法。
【請求項１９】
複数の事前符号器を備え、ＭＵ−ＭＩＭＯ事前符号器を導出する前記送信器が、前記複数の事前符号器を使用する工程を備え、前記事前符号器は１つのチャンネル専用である請求項１８に記載の方法。
【請求項２０】
複数のアンテナを有する少なくとも１つの送信機とＫ個の一組の受信機とを有する無線通信システムにおいて使用するための方法であって、
Ｋ個のアップリンクパイロット信号を前記Ｋ個の一組の受信機から前記送信機が受信するステップであり、前記Ｋ個の一組の受信機におけるそれぞれが、前記Ｋ個のアップリンクパイロット信号の１つを前記送信機に送信するステップと、
前記一組の受信機から受信された前記Ｋ個のアップリンクパイロット信号に基づいて前記送信機においてチャンネルを直接に推定するステップと、
前記チャンネル推定を用いてマルチユーザ・マルチプルインプット・マルチプルアウトプット（ＭＵ−ＭＩＭＯ）事前符号器を導出するステップと、
前記Ｋ個の一組の受信機におけるそれぞれがそれらの受信機のそれぞれの有効チャンネルを推定するのを可能にするために、前記ＭＵ−ＭＩＭＯ事前符号器を用いて１個〜Ｋ個のパイロットシンボルを前記Ｋ個の一組の受信機へ送信するステップと、
前記ＭＵ−ＭＩＭＯ事前符号器を用いてダウンリンク伝送を前記Ｋ個の一組の受信機の中の１以上に送信するステップと、
を備える方法。
【請求項２１】
前記送信機は、それぞれが複数のチャンネルのうちの１つのために設けられた複数の事前符号器を備え、ＭＵ−ＭＩＭＯ事前符号器を導出するステップは、前記複数のチャンネルのうちのそれぞれの１つのために設けられるように前記複数の事前符号器のそれぞれを使用する工程を備える請求項２０に記載の方法。
【請求項２２】
前記ＭＵ−ＭＩＭＯ事前符号器を導出するステップが、相反性から導出された前記送信機におけるチャンネル状態情報（ＣＳＩＴ）を用いて実行される請求項２０に記載の方法。
【請求項２３】
前記ＭＵ−ＭＩＭＯ事前符号器が、複数の事前符号器を備え、前記複数の事前符号器のそれぞれが、１つのチャンネル専用である請求項２０に記載の方法。
【請求項２４】
前記ダウンリンク伝送を送信するステップが、前記少なくとも１つの送信機によって生成されたチャンネル推定を用いて、複合事前符号化信号を生成するステップを備え、前記複合事前符号化信号が、前記Ｋ個の一組の受信機内に存在するそれぞれの受信機がその受信機自身の信号しか復号化しないようなものである請求項２０に記載の方法。